(57)【特許請求の範囲】
【請求項１】
画像形成装置に支持される中間転写ユニットであって、
第１と第２の感光体の表面にそれぞれに形成された現像剤像が転写される無端状の中間転写ベルトと、
前記第１と第２の感光体のそれぞれに対応して配置され、前記中間転写ベルトの内周面に当接して前記中間転写ベルトに前記現像剤像を転写する第１と第２の転写部材であって、前記中間転写ベルトの移動方向において、前記転写する際の前記感光体と前記中間転写ベルトとが当接している領域の下流側端部である第１の位置が、前記感光体に対応する前記転写部材と前記中間転写ベルトとが当接している領域の上流側端部である第２の位置より上流側になるようにそれぞれ配置される第１と第２の転写部材と、
前記第１の転写部材を前記中間転写ベルトに当接させる当接位置と、前記中間転写ベルトから離間させる離間位置と、に移動可能な移動機構と、
前記第２の転写部材を前記中間転写ベルトに付勢する付勢力を変更する変更機構であって、前記第１の転写部材が前記離間位置にあるときの付勢力が、前記当接位置にあるときの付勢力より弱くなるように前記付勢力を変更する変更機構と、
を有することを特徴とする中間転写ユニット。
【請求項２】
前記変更機構は、前記第１の転写部材が前記当接位置にあるときと前記離間位置にあるときとで、前記中間転写ベルトに沿った前記第１の位置と前記第２の位置との間の距離が同じになるように前記付勢力を変更することを特徴とする請求項１に記載の中間転写ユニット。
【請求項３】
前記変更機構は、位置の変更がされる第１の支持部と、前記第２の転写部材を支持する第２の支持部と、前記第１の支持部と前記第２の支持部との間に配置され、前記付勢力を発生させる弾性部材と、を有し、
前記変更機構における前記第１の支持部の位置は、前記第１の転写部材が前記離間位置にあるときの方が、前記第１の転写部材が前記当接位置にあるときよりも前記中間転写ベルトから離れた位置になるように移動されることを特徴とする請求項１又は請求項２に記載の中間転写ユニット。
【請求項４】
前記変更機構は、前記移動機構による前記第１の転写部材の前記当接位置と前記離間位置との間の移動に連動して、前記第１の支持部を移動させる連動機構を有することを特徴とする請求項３に記載の中間転写ユニット。
【請求項５】
前記連動機構には、カム部材が含まれ、前記カム部材が移動されることにより前記第１の支持部が移動されることを特徴とする請求項４に記載の中間転写ユニット。
【請求項６】
前記第１の転写部材を複数有し、前記中間転写ベルトの移動方向について最上流の位置にある前記第１の転写部材の上流側に隣接する位置に前記中間転写ベルトを内周面側から張架する張架部材を備え、前記当接位置から前記離間位置への前記第１の転写部材の移動に伴って、前記張架部材は第３の位置から、前記第３の位置よりも前記中間転写ベルトの張力を低下させる第４の位置に移動することを特徴とする請求項１乃至５のいずれか１項に記載の中間転写ユニット。
【請求項７】
前記中間転写ベルトの内周面に当接して前記中間転写ベルトに張力を付与するテンションローラを含み、前記中間転写ベルトを張架する複数の張架ローラと、前記複数の張架ローラを支持するフレームと、前記フレームに対して移動可能に支持され、前記テンションローラを回転可能に支持するテンション軸受と、前記テンション軸受と前記フレームとの間に配置され、前記テンションローラに付勢力を付与するテンションばねと、を有することを特徴とする請求項１乃至６のいずれか１項に記載の中間転写ユニット。
【請求項８】
前記第２の転写部材は、黒色の現像剤像を前記中間転写ベルトに転写する転写部材であることを特徴とする請求項１乃至７のいずれか１項に記載の中間転写ユニット。
【請求項９】
第１と第２の感光体と、
請求項１乃至８のいずれか１項に記載の中間転写ユニットと、
を有することを特徴とする画像形成装置。
【発明の詳細な説明】
【技術分野】
【０００１】
本発明は、画像形成装置が備える中間転写ユニット及び画像形成装置に関する。ここで画像形成装置とは、例えば電子写真複写機、電子写真プリンタ（例えばレーザビームプリンタ、ＬＥＤプリンタ等）などをいう。
【背景技術】
【０００２】
近年、画像形成装置の高速化に伴い、別々の色の現像剤を備える複数の画像形成部を並べて配置し、各色の作像プロセスを並行処理する構成が主流となっている。
【０００３】
例えば電子写真方式のフルカラー画像形成装置では、各色のトナー像を一次転写ローラ（転写部材）により中間転写ベルト表面に順次重ね合わされて転写し、その後に記録材に対してフルカラーのトナー像を一括的に転写する中間転写タンデム方式がある。この中間転写タンデム方式は、高いプロダクティビティや様々なメディアの搬送に対応できる利点がある。なお、中間転写ベルトは、駆動ローラをはじめとする複数の張架ローラによって張架された状態で走行駆動される。
【０００４】
このような中間タンデム方式の画像形成装置において、一次転写ローラの当接圧を低減するため、一次転写ローラを感光体に対して中間転写ベルトの搬送方向の下流側にオフセットする構成が提案されている（特許文献１参照）。
【先行技術文献】
【特許文献】
【０００５】
【特許文献１】特開２０１２−２４７７５６号公報
【発明の概要】
【発明が解決しようとする課題】
【０００６】
中間転写タンデム方式の画像形成装置においては、モノクロ単色を画像形成する場合、カラー用の画像形成部が備える一次転写ローラを中間転写ベルトから離間させる構成が知られている。
【０００７】
ここで、モノクロ作像時とカラー作像時とで中間転写ベルトの張架レイアウトが変更されたことに伴って中間転写ベルトの張力が変化することがある。この場合、特許文献１に記載されたような一次転写ローラの配置にすると、離間しないブラックの一次転写ローラが中間転写ベルトから受ける力が変わり、次のような現象が発生するおそれがある。
【０００８】
すなわち、カラー作像時の張架レイアウトからモノクロ作像時の張架レイアウトへの変更に伴い、中間転写ベルトの張力が高い状態から低い状態に変わった場合、中間転写ベルトの一次転写ローラへの押圧力が弱くなる。一次転写ローラ５５は一次転写ばねで付勢力を付与されているところ、付勢力に対抗する中間転写ベルト５７の押圧力が低下すると、図７に示す様に、一次転写ローラ５５は実線の位置から破線の位置に変化する。また一次転写ローラ５５の位置の変化に伴い、一次転写ローラ５５と中間転写ベルト５７との接点Ｐ２が接点Ｐ３に変化する。このため、感光ドラム５１と中間転写ベルト５７との接点Ｐ１から、一次転写ローラ５５と中間転写ベルト５７との接点までの接点間距離がＬ１からＬ２に変化する。このように接点間距離が変化する場合、中間転写ベルト５７は抵抗体であるため、一次転写ローラ５５にバイアスを印加したときに一次転写ローラ５５から感光ドラム５１に流れる一次転写電流が変化し、これにより画像不良が発生するおそれがある。
【０００９】
そこで本発明はこのような現状に鑑みてなされたものであり、複数の転写部材の一部を中間転写ベルトから離間可能な構成において、転写部材から感光体に流れる電流の変化を抑制することができる中間転写ユニットを提供することを目的とする。
【課題を解決するための手段】
【００１０】
上記目的を達成するための本発明に係る中間転写ユニットの代表的な構成は、画像形成装置に支持される中間転写ユニットであって、第１と第２の感光体の表面にそれぞれに形成された現像剤像が転写される無端状の中間転写ベルトと、前記第１と第２の感光体のそれぞれに対応して配置され、前記中間転写ベルトの内周面に当接して前記中間転写ベルトに前記現像剤像を転写する第１と第２の転写部材であって、前記中間転写ベルトの移動方向において、前記転写する際の前記感光体と前記中間転写ベルトとが当接している領域の下流側端部である第１の位置が、前記感光体に対応する前記転写部材と前記中間転写ベルトとが当接している領域の上流側端部である第２の位置より上流側になるようにそれぞれ配置される第１と第２の転写部材と、前記第１の転写部材を前記中間転写ベルトに当接させる当接位置と、前記中間転写ベルトから離間させる離間位置と、に移動可能な移動機構と、前記第２の転写部材を前記中間転写ベルトに付勢する付勢力を変更する変更機構であって、前記第１の転写部材が前記離間位置にあるときの付勢力が、前記当接位置にあるときの付勢力より弱くなるように前記付勢力を変更する変更機構と、を有することを特徴とする。
【発明の効果】
【００１１】
本発明によれば、複数の転写部材の一部を中間転写ベルトから離間可能な構成において、一次転写電流の変化を抑制することができる。
【図面の簡単な説明】
【００１２】
【図１】画像形成装置の断面概略図である。
【図２】一次転写ローラの配置に関する説明図である。
【図３】中間転写ユニットの斜視図である。
【図４】離間スライダーの断面概略図である。
【図５】一次転写ローラと離間ローラが離間位置に移動する動作を説明するための断面図である。
【図６】モノクロモード時とカラーモード時の中間転写ユニットの断面図である。
【図７】従来技術の課題を説明するための説明図である。
【発明を実施するための形態】
【００１３】
（第１実施形態）
＜画像形成装置＞
まず本発明の第１実施形態に係る中間転写ユニットを備える画像形成装置Ａの全体構成を画像形成時の動作とともに図面を参照しながら説明する。
【００１４】
画像形成装置Ａは、イエローＹ、マゼンダＭ、シアンＣ、ブラックＫ（黒色）の４色のトナーを中間転写ベルトに一次転写した後に画像形成媒体に二次転写して画像を形成する電子写真方式、中間転写タンデム方式のカラー画像形成装置である。
【００１５】
図１に示す様に、画像形成装置Ａは、シートにトナー像を転写する画像形成部と、画像形成部へシートを供給するシート給送部と、シートにトナー像を定着させる定着部と、を備える。
【００１６】
画像形成部は、図１に示す様に、回動自在に設けられた感光体としての複数の感光ドラム１（１Ｙ、１Ｍ、１Ｃ、１Ｋ）、感光ドラム１を帯電させる帯電ローラ２（２Ｙ、２Ｍ、２Ｃ、２Ｋ）を有する。また、中間転写ユニット１０、レーザスキャナユニット３（３Ｙ、３Ｍ、３Ｃ、３Ｋ）、現像装置４（４Ｙ、４Ｍ、４Ｃ、４Ｋ）、クリーニングブレード６（６Ｙ、６Ｍ、６Ｃ、６Ｋ）などを有する。
【００１７】
中間転写ユニット１０は装置本体に支持されており、転写部材としての複数の一次転写ローラ５（５Ｙ、５Ｍ、５Ｃ、５Ｋ）、二次転写ローラ９、二次転写対向ローラ８、クリーニング装置１１を備える。また、無端状で円筒状のベルトである中間転写ベルト７（中間転写体）を備える。中間転写ベルト７は、不図示のベルトフレームに設置され、二次転写対向ローラ８、第１テンションローラ１７、第２テンションローラ１８、離間ローラ１９によって張架されている。つまり、中間転写ベルト７は複数の張架手段により張架されている。
【００１８】
画像形成に際しては、ＣＰＵ６０がプリント信号を発すると、摩擦分離方式を採用した給送ローラ１３によってシート積載部１２に積載収納されたシートＳが搬送パスを介してレジストローラ１４に送られる。その後、シートはレジストローラ１４により斜行補正やタイミング補正が行われた後に画像形成部に送り出される。
【００１９】
一方、画像形成部においては、まず感光ドラム１が帯電ローラ２によって表面を帯電させられる。そしてレーザスキャナユニット３が、内部に備える不図示の光源からレーザ光を出射し、画像情報に応じてレーザ光を感光ドラム１上に照射する。これにより感光ドラム１の表面上に画像情報に応じた静電潜像が形成される。
【００２０】
この静電潜像を現像装置４によってトナーを付着させて現像することにより感光ドラム１上にトナー像（現像剤像）が形成される。なお、本実施形態では現像剤として非磁性トナーと磁性キャリアを含む二成分現像剤を使用するものの、磁性トナーや非磁性トナーのみからなる一成分現像剤を使用してもよい。
【００２１】
その後、一次転写ローラ５に一次転写バイアスが印加されることで一次転写電界が形成された一次転写ニップ部Ｎ（ＮＹ、ＮＭ、ＮＣ、ＮＫ）において、感光ドラム１上に形成されたトナー像は中間転写ベルト７にそれぞれ一次転写される。
【００２２】
ここで、各一次転写ローラ５は、図２に示す様に、各感光ドラム１から中間転写ベルト７の移動方向における下流側に距離Ｌ３だけオフセットして配置されている。また中間転写ベルト７の移動方向において、接点Ｐ４は各感光ドラム１と中間転写ベルト７とが当接している領域の下流側端部であり、各感光ドラム１と中間転写ベルトとが離間し始める位置（第１の位置）である。また接点Ｐ５は中間転写ベルト７と各一次転写ローラ５とが当接している領域の上流側端部であり、中間転写ベルト７と各一次転写ローラ５とが当接し始める位置（第２の位置）である。
【００２３】
また、本実施形態では距離Ｌ３は３．５〜７．０ｍｍの範囲内である。また各画像形成部で距離Ｌ３を同一にしているが、距離Ｌ３の少なくとも一つを異なる値に設定しても構わない。また、一次転写ローラ５は、金属や導電性樹脂などの体積抵抗が６００Ωｃｍ以下の導電体によって構成されている。
【００２４】
次に、図１に示す様に、中間転写ベルト７は、二次転写対向ローラ８が駆動源から駆動力を受けて矢印Ｒ１方向に回転することで矢印Ｘ方向に回転する。一次転写されたトナー像は、中間転写ベルト７の回転により回転方向下流にある二次転写対向ローラ８と二次転写ローラ９とで形成される二次転写部に到達し、ここでトナー像がシートに転写される。
【００２５】
トナー像が転写されたシートは、定着装置１５に送られ、加熱、加圧されてトナー像がシートに定着された後、排出トレイ１６に排出される。
【００２６】
なお、一次転写後に感光ドラム１上に残ったトナーはクリーニングブレード６により除去される。また、二次転写後に中間転写ベルト７上に残ったトナーはクリーニング装置１１により除去される。
【００２７】
また各色の現像装置４内のトナー量が少なくなると、トナー収容容器２１（２１Ｙ、２１Ｍ、２１Ｃ、２１Ｋ）に収容された各色のトナーが、トナー補給装置２２（２２Ｙ、２２Ｍ、２２Ｃ、２２Ｋ）により現像装置４にそれぞれ補給される。なお、トナー補給装置２２Ｍ、２２Ｃ、２２Ｋは不図示であるものの、トナー補給装置２２Ｙと同形状である。
【００２８】
＜中間転写ユニット＞
次に、中間転写ユニット１０の構成について説明する。図３は中間転写ユニット１０の斜視図である。なお、図３（ａ）は中間転写ベルト７が設置、張架された状態を示し、図３（ｂ）は中間転写ベルト７が取り外された状態を示す。
【００２９】
図３に示す様に、中間転写ユニット１０は、前フレーム２３Ｆと後フレーム２３Ｒを備える。前フレーム２３Ｆは、一次転写ローラ５の回転軸方向において、図１に図示されている側に配置され、後フレーム２３Ｒはその反対側に配置される。
【００３０】
また、前フレーム２３Ｆと後フレーム２３Ｒは、二次転写対向ローラ８、第２テンションローラ１８、離間ローラ１９、離間シャフト２８等を挟み込む形でこれらの部材の回転軸方向の両端部を回転可能に軸支する。
【００３１】
また、二次転写対向ローラ８の回転軸の一方端部には、駆動カップリング２４が取り付けられている。この駆動カップリング２４には、中間転写ベルト７を駆動させるための不図示のベルト駆動ユニットの出力軸に連結されて駆動力が伝達される。駆動力が伝達されると、ゴム等の摩擦係数が比較的高い表面を有する二次転写対向ローラ８が回転し、これにより中間転写ベルト７を矢印Ｘ方向に回転させる。なお、本実施形態では、駆動伝達手段として駆動カップリング２４を用いたが、ギアを用いて連結しても構わない。
【００３２】
また、離間シャフト２８の軸方向の一方端部にはギア３３が設けられている。またギア３３近傍には、不図示の離間駆動ユニットの出力軸に連結された離間カップリング３０、ギア３１、３２が設けられている。そして、不図示の離間駆動ユニットから離間カップリング３０に伝達された駆動力が、ギア３１、３２を介してギア３３に伝達されることで離間シャフト２８が回転する。
【００３３】
また、前フレーム２３Ｆと後フレーム２３Ｒは一対のテンション軸受け２５を備える。このテンション軸受け２５は、第１テンションローラ１７を挟み込む形で回転軸方向の両端部を回転可能に軸支する。また、図３（ａ）に示す中間転写ベルト７が設置された状態において、前フレーム２３Ｆ及び後フレーム２３Ｒとテンション軸受け２５との間に圧縮ばねであるテンションばね２６（付勢部材）が縮めた状態で設けられている。そしてテンションばね２６の付勢力によって中間転写ベルト７の内周に作用するテンション力を第１テンションローラ１７に付与する。
【００３４】
また中間転写ユニット１０は、給電部２７（２７Ｙ、２７Ｍ、２７Ｃ、２７Ｋ）を備える。そして給電部２７により、一次転写バイアスが対応する一次転写ローラ５にそれぞれ給電される。なお、画像形成装置Ａに設けられた不図示の高圧基板から給電部２７までの本体給電構成に関しての説明は省略する。
【００３５】
＜転写部材の移動＞
次に、転写部材である一次転写ローラ５の移動について説明する。ブラックＫ以外の一次転写ローラ５Ｙ、５Ｍ、５Ｃ（第１の転写部材）は、モノクロモードとカラーモードが切り換えられたときに離間スライダー４０が動作することにより、中間転写ベルト７と当接する当接位置から離間する離間位置に移動する。
【００３６】
図４は、離間スライダー４０の断面概略図である。図４に示す様に、離間スライダー４０は、ブラックＫの一次転写ローラ５Ｋ以外の一次転写ローラ５（５Ｙ、５Ｍ、５Ｃ）を昇降させる昇降面４１（４１Ｙ、４１Ｍ、４１Ｃ）を有する。また、離間ローラ１９を昇降させる昇降面４２、ばね座昇降面４３、スライド付勢面４４を有する。なお、離間スライダー４０は、前フレーム２３Ｆ、後フレーム２３Ｒ内にそれぞれ設けられており、一次転写ローラ５の回転軸方向で対称形状となっている。
【００３７】
図５は一次転写ローラ５、離間ローラ１９が離間位置に移動する動作を説明するための断面図である。ここで、図５（ａ）はカラーモードの状態を示し、図５（ｂ）はモノクロモードの状態を示す。
【００３８】
図５に示す様に、各々の一次転写ローラ５は、一対の一次転写軸受け３４（３４Ｙ、３４Ｍ、３４Ｃ、３４Ｋ）によって、両端部を回動可能に軸支されている。また一次転写軸受け３４は、前フレーム２３Ｆ、後フレーム２３Ｒによって中間転写ベルト７の移動方向の移動は規制されつつ、鉛直方向上下に昇降自在に嵌合保持されている。そして、付勢手段、ばね部材としての一次転写ばね３５（３５Ｙ、３５Ｍ、３５Ｃ、３５Ｋ）によって鉛直方向下方に一次転写ローラ５と共に付勢される。つまり、各々の一次転写ローラ５は、一次転写ばね３５の付勢力により中間転写ベルト７に対して付勢されている。
【００３９】
また、中間転写ベルト７の移動方向に関して、最上流の位置にある一次転写ローラ５Ｙの上流側に隣接する位置に配置され、中間転写ベルト７を張架する離間ローラ１９（張架部材）も同様に、離間ローラ軸受け３６によって両端部を回動可能に軸支されている。また前フレーム２３Ｆ、後フレーム２３Ｒによって中間転写ベルト７の移動方向の移動は規制されつつ、鉛直方向の上下に昇降自在に嵌合保持されている。また離間ローラばね３９によって鉛直方向下方に離間ローラ１９と共に付勢されている。
【００４０】
また、離間シャフト２８の両端部には、カム部材としての離間カム３７が設けられている。
【００４１】
次に、一次転写ローラ５の一部が中間転写ベルト７と当接する当接位置から離間する離間位置に移動するときの離間動作について説明する。
【００４２】
まずカラーモードからモノクロモードに切り替わる場合、ＣＰＵ６０から信号を受けた不図示の離間駆動ユニットから離間カップリング３０に駆動が入力される。これにより、離間シャフト２８に駆動が伝達され、離間カム３７が矢印Ｒ２方向に９０度回転する（図５（ａ）の状態から図５（ｂ）の状態に変化する）。
【００４３】
離間カム３７が矢印Ｒ２方向に回転すると、離間カム３７が離間スライダー４０のスライド付勢面４４を付勢する。これにより、離間スライダー４０が矢印Ｋ１方向にスライドする。
【００４４】
離間スライダー４０が矢印Ｋ１方向にスライドすると、一次転写軸受け３４Ｙ、３４Ｍ、３４Ｃが備える突起３４Ｙａ、３４Ｍａ、３４Ｃａが昇降面４１Ｙ、４１Ｍ、４１Ｃにより押し上げられる。これにより、ブラックＫの一次転写ローラ５Ｋ以外の一次転写ローラ５（５Ｙ、５Ｍ、５Ｃ）は、中間転写ベルト７と当接した当接位置から、離間した離間位置に移動する。
【００４５】
つまり本実施形態では、離間スライダー４０と離間カム３７は、一次転写ローラ５Ｙ、５Ｍ、５Ｃを当接位置と離間位置とに移動可能な移動機構であり、その移動は離間カム３７の回転により制御している。また、離間スライダー４０の昇降面４１Ｙ、４１Ｍ、４１Ｃ（ガイド部）が、突起３４Ｙａ、３４Ｙａ、３４Ｍａ（被ガイド部）をガイドすることにより、一次転写ローラ５Ｙ、５Ｍ、５Ｃが移動する。
【００４６】
また離間スライダー４０のスライド移動に伴い、離間ローラ軸受け３６が備える突起３６ａが昇降面４２によって押し上げられて、離間ローラ１９が移動前の位置（第３の位置）から中間転写ベルト７から離れる方向に移動する。この時、離間ローラ１９の移動量は、一次転写ローラ５Ｙ、５Ｍ、５Ｃの移動量よりも小さくなるように設定されている。従って、移動後の離間ローラ１９の位置（第４の位置）は、移動後の一次転写ローラ５Ｙ、５Ｍ、５Ｃの位置よりも中間転写位置よりも近い位置となり、中間転写ベルト７は離間ローラ１９に沿って張架される（図５（ｂ）の状態）。
【００４７】
図６は、モノクロモード時とカラーモード時の中間転写ユニット１０の断面図である。ここで、図６（ａ）はカラーモードの状態を示し、図６（ｂ）はモノクロモードの状態を示す。
【００４８】
図６に示す様に、モード変更に伴う中間転写ベルト７の張架レイアウトの変更により生じた中間転写ベルト７の余長は、テンションローラ１７が図６（ｂ）の破線の位置から実線の位置に移動することで吸収される。このとき、テンションばね２０の中間転写ベルト７に対する付勢力は低下するため、中間転写ベルト７の張力が低下し、一次転写ニップ部ＮＫにおける中間転写ベルト７の張力も低下する。
【００４９】
このとき、一次転写ばね３５Ｋの付勢力に対抗する中間転写ベルト７からの張力が低下するため、図７に示した一次転写ローラ５５の実線から破線への位置変化のように、一次転写ローラ５Ｋの位置が変化する。このため、図２に示す感光ドラム１Ｋと中間転写ベルト７との接点Ｐ４から一次転写ローラ５Ｋと中間転写ベルト７との接点Ｐ５までの距離Ｌ３が小さくなり、一次転写電流が変動して画像不良が発生するおそれがある。
【００５０】
そこで本実施形態では、次の構成により一次転写ばね３５Ｋの付勢力を小さくして張架レイアウトの変更に伴う一次転写ローラ５Ｋの位置の変化を抑制することで一次転写電流の変化を抑制し、画像不良の発生を抑制する。
【００５１】
すなわち、図５に示す様に、一次転写ばね３５Ｋを設置する可変ばね座３８（第１の支持部）は、前フレーム２３Ｆ、後フレーム２３Ｒによって中間転写ベルト７の移動方向の移動は規制されつつ、鉛直方向の上下に昇降自在に嵌合保持されている。また一次転写ばね３５Ｋ（弾性部材）によって鉛直方向上方であるＫ２方向に付勢されている。
【００５２】
そして、カラーモードからモノクロモードに切り替わると、離間カム３７の回転に伴う離間スライダー４０の矢印Ｋ１方向のスライドにより、可変ばね座３８が備える突起３８ａが、離間スライダー４０のばね座昇降面４３により押し上げられる。すなわち、一次転写ローラ５Ｙ、５Ｍ、５Ｃが中間転写ベルト７から離間した離間位置に移動するのと連動して、可変ばね座３８が中間転写ベルト７から離れた位置に移動する。またその移動は、ガイド部であるばね座昇降面４３に被ガイド部である突起３８ａがガイドされることで行われる。つまり離間スライダー４０、離間カム３７は、一次転写ローラ５Ｙ、５Ｍ、５Ｃが中間転写ベルト７から離間した離間位置に移動するのと連動して、可変ばね座３８を中間転写ベルト７から離れた位置に移動させる連動機構である。
【００５３】
これにより、ばね部材である一次転写ばね３５Ｋの付勢力は、一次転写ローラ５Ｙ、５Ｍ、５Ｃが離間位置にあるときに、当接位置にあるときよりも小さくなる。このため、一次転写ばね３５Ｋによる一次転写ローラ５Ｋ（第２の転写部材）の中間転写ベルト７に対する付勢力が低下する。このとき、一次転写ばね３５Ｋの付勢力、可変ばね座３８の移動量は、画像形成時における図２に示す接点Ｐ４から接点Ｐ５までの距離Ｌ３が、モノクロモード時とカラーモード時で変化しないように設定しておく。なお、画像形成時において、中間転写ベルト７の張架レイアウト切り替え以外にも、一次転写バイアスの大きさにより一次転写ローラ５Ｋの中間転写ベルト７に対する付勢力が変化するため、それも考慮して設定を行う。つまり一次転写軸受け３４Ｋ（第２の支持部）、一次転写ばね３５Ｋ、可変ばね座３８、離間スライダー４０、離間カム３７は、一次転写ローラ３５Ｋを中間転写ベルト７に付勢する付勢力を変更する変更機構である。また変更機構は、上記連動機構を含む。
【００５４】
このような構成により、モノクロモード時とカラーモード時において、一次転写ローラ５Ｋから感光ドラム１Ｋに流れる一次転写電流の変化を抑制することができ、画像不良の発生を抑制することができる。
【００５５】
なお、モノクロモードからカラーモードへの切り替えは、離間カム３７が図５（ａ）に示す矢印Ｒ２方向と反対方向に９０度回転することで、上記の離間動作と逆の動作で行われる。
【００５６】
また、本実施形態では一次転写ローラ５Ｋを付勢する付勢手段として圧縮ばねを用いたが、本発明はこれに限らない。すなわち、複数の一次転写ローラ５のうちの一部が中間転写ベルト７から離間した状態において、離間しない一次転写ローラ５を中間転写ベルト７に対して付勢する付勢力が小さくなる構成であればよい。さらに、一次転写ローラ５を付勢する以外の構成で、中間転写ベルト７に対して一次転写ローラ５を加圧する構成であっても本発明の効果を得ることができる。
【００５７】
また、本実施形態ではブラックＫの一次転写ローラ５Ｋが中間転写ベルト７から離間しない構成について説明したものの、本発明はこれに限らない。すなわち、使用頻度が高い色の現像剤を中間転写ベルト７に転写する一次転写ローラを離間しない構成にすることや、複数色の一次転写ローラを離間しない構成にする場合でも、本発明の効果を得ることができる。
【符号の説明】
【００５８】
１…感光ドラム
５…一次転写ローラ
７…中間転写ベルト
１０…中間転写ユニット
１９…離間ローラ
３５…一次転写ばね
３７…離間カム
３８…可変ばね座
４０…離間スライダー
４３…ばね座昇降面
Ａ…画像形成装置
【図１】
0006708469.tif 000002
【図２】
0006708469.tif 000003
【図３】
0006708469.tif 000004
【図４】
0006708469.tif 000005
【図５】
0006708469.tif 000006
【図６】
0006708469.tif 000007
【図７】
0006708469.tif 000008